(57)【要約】【課題】コードあるいはベルトの末端部を堅固に掛止することのできる留め具を提供する。【解決手段】コードあるいはベルトの末端部を係止することにより当該末端部に堅固に固定することのできるコードあるいはベルトの留め具であって、係止部と、前記係止部から延びる取付け部と、を備え、前記係止部には、コードあるいはベルトが挿し通される貫通穴が設けられており、前記取付け部から離れた前記貫通穴の側面には、コードあるいはベルトの末端部を引き込んで係止するための係止溝が形成されており、前記係止溝には、前記係止溝に引き込んだ前記末端部を固定するための係止突起が少なくとも一組以上設けられていることを特徴とする留め具を提供する。【選択図】図１
2011041803.tif 000002
【特許請求の範囲】
【請求項１】
コードあるいはベルトの末端部を係止することにより当該末端部に堅固に固定することのできるコードあるいはベルトの留め具であって、
係止部と、
前記係止部から延びる取付け部と、を備え、
前記係止部には、コードあるいはベルトが挿し通される貫通穴が設けられており、前記取付け部から離れた前記貫通穴の側面には、コードあるいはベルトの末端部を引き込んで係止するための係止溝が形成されており、前記係止溝には、前記係止溝に引き込んだ前記末端部を固定するための係止突起が少なくとも一組以上設けられていることを特徴とする留め具。
【請求項２】
前記取付け部は、前記係止部の一方の側縁から延びており、前記係止部と一体に設けられていることを特徴とする請求項１に記載の留め具。
【請求項３】
前記係止溝は、前記貫通穴の側面に、前記係止部の長手方向に沿って形成されているとともに、前記側面における前記長手方向の一方に開口端を有し、前記係止突起は、前記係止溝の内壁面の両側に設けられていることを特徴とする請求項１または２に記載の留め具。
【請求項４】
前記係止突起は、歯状、鋭角テーパ状、長方形、菱形、楕円形、円形、半円形、波形のいずれかの形状であることを特徴とする請求項３に記載の留め具。
【請求項５】
前記係止突起は、前記係止溝における対向する内壁面の両側に間隔を空けて複数設けられていることを特徴とする請求項３または４のいずれか一項に記載の留め具。
【請求項６】
前記係止溝における前記開口端から最も離れた底部には固定掛止溝が設けられていることを特徴とする請求項３から５のいずれか一項に記載の留め具。
【請求項７】
前記係止溝は、前記貫通穴の側面に、前記係止部の長手方向に沿って形成されているとともに、前記側面における前記長手方向の一方に開口端を有し、前記係止溝の前記開口端から底部までの深さは、前記係止部の前記長手方向における長さの１／２以上であることを特徴とする請求項１から６のいずれか一項に記載の留め具。
【発明の詳細な説明】
【技術分野】
【０００１】
本発明はコードおよびベルトを係止するためのワンピース型の留め具に関し、とりわけコードおよびベルトの末端部を引き込んで係止することにより、コードおよびベルトに堅固に固定されるコードおよびベルトの留め具に関する。
【背景技術】
【０００２】
各種物品を連結し、あるいは縛る際に用いられるコードおよびベルトは、対象となる物品の大きさ、形状、あるいは個数などの違いにより、求められる太さや長さが異なる。したがって、例えば、バックパック、衣料品、帽子、靴、ペンダントネックレス、編み込みネックレス、ハンドチェーン、ブレスレット、編み込みブレスレット、トランク、スーツケースなどの物品を連結したり縛ったりするのに用いられるコードおよびベルトには、当該物品を連結したり縛ったりするのに必要な有効長さを調整するために、バックルなどの留め具が用いられる。
【０００３】
一般的な留め具は、オスおよびメスの二つの部材で構成されており、一方側の端部が物品に固定されている二本のコードあるいは帯状体（ベルト、布製ベルト、ストラップ）における自由端となっている他方側の末端部に当該オスおよびメスが移動可能に挿設または装着される。そして、このような形態では、留め具は、二本のコードおよびベルトをより締めつけたりあるいは緩めたりする際にその状態を保持する役割を担う。なお、このようなオスおよびメスの二つの部材で構成される留め具は、上記に例示した物品に加えて、靴、衣料品、バッグ類、バックパック、ウエストバッグ、ウエストベルト、スーツケース、ショルダーベルト、ヘルメット、自転車のアクセサリ（水筒、ツールバッグ、物入れまたは収容バッグなど）、シートベルト（車両、遊具、ベビーカーなど）またはベルトで固定する必要があるその他物品にも幅広く用いられている。
【０００４】
しかしながら、オスおよびメスの二つの部材で構成される留め具は、部材同士を繰り返し脱着すると、各部材が変形または損傷しやすくなる。そこで、中空型のスリーブを有し、当該スリーブの側壁に挟持溝が設けられたワンピース型の留め具が提案されている。上記ワンピース型の留め具は一方側の端部が物品（衣料品、パッケージ、バッグ、靴などの物品）に固定されているコードあるいはベルトをスリーブに貫通させるとともに、コードあるいはベルトの他方側の末端部をスリーブに設けた挟持溝で挟み込むことによりコードあるいはベルトを保持する。
【先行技術文献】
【特許文献】
【０００５】
【特許文献１】特開２００２−１８６５０５号公報
【発明の概要】
【発明が解決しようとする課題】
【０００６】
しかしながら、従来のワンピース型の留め具は、以下のような様々な欠点がある。
【０００７】
（１）従来のワンピース型の留め具では、スリーブの弾性挟持溝は、開口端が内部の規制端よりも大きくなっており、コードあるいはベルトを弾性挟持溝の開口端から挿し込んで規制端で掛止させることでコードあるいはベルトがスリーブに保持される。このとき、コードあるいはベルトは、スリーブの弾性変形に伴って当該スリーブから受ける抗力によって挟持されているため、挟持しているコードあるいはベルトにわずかでも引っ張られる力が加わると、コードおよびベルトが規制端から開口端側へ移動（脱落）してしまい、結果として、コードあるいはベルトのスリーブによる挟持が緩んだり、スリーブから外れたりすることがあった。
【０００８】
（２）弾性挟持溝の寸法よりも大きい寸法のコードあるいはベルトが何度も弾性挟持溝内に進入することにより、スリーブにおける弾性挟持溝近傍の弾性力が弱くなり、コードあるいはベルトを挟持できなくなることがあった。
【課題を解決するための手段】
【０００９】
本発明は、上記した課題および欠点に鑑みて、コードあるいはベルトの末端部を係止することにより当該末端部に堅固に固定することのできるコードあるいはベルトの留め具であって、係止部と、前記係止部から延びる取付け部と、を備え、前記係止部には、コードあるいはベルトが挿し通される貫通穴が設けられており、前記取付け部から離れた前記貫通穴の側面には、コードあるいはベルトの末端部を引き込んで係止するための係止溝が形成されており、前記係止溝には、前記係止溝に引き込んだ前記末端部を固定するための係止突起が少なくとも一組以上設けられていることを特徴とする留め具を提供する。
【００１０】
また、本発明の留め具において、前記取付け部は、前記係止部の一方の側縁から延びており、前記係止部と一体に設けられていることが好ましい。
【００１１】
また、本発明の留め具において、前記係止溝は、前記貫通穴の側面に、前記係止部の長手方向に沿って形成されているとともに、前記側面における前記長手方向の一方に開口端を有し、前記係止突起は、前記係止溝の内壁面の両側に設けられていることが好ましい。
【００１２】
また、本発明の留め具において、前記係止突起は、歯状、鋭角テーパ状、長方形、菱形、楕円形、円形、半円形、波形のいずれかの形状であることが好ましい。
【００１３】
また、本発明の留め具において、前記係止突起は、前記係止溝における対向する内壁面の両側に間隔を空けて複数設けられていることが好ましい。
【００１４】
また、本発明の留め具において、前記係止溝における前記開口端から最も離れた底部には固定掛止溝が設けられていることが好ましい。
【００１５】
また、本発明の留め具において、前記係止溝は、前記貫通穴の側面に、前記係止部の長手方向に沿って形成されているとともに、前記側面における前記長手方向の一方に開口端を有し、前記係止溝の前記開口端から底部までの深さは、前記係止部の前記長手方向における長さの１／２以上であることが好ましい。
【図面の簡単な説明】
【００１６】
【図１】本発明の実施形態に係る留め具の立体外観図である。
【図２】本発明の実施形態に係る留め具の立体断面図である。
【図３】本発明の実施形態に係る留め具の平面断面図である。
【図４】本発明の実施形態に係る留め具におけるコードおよびベルト固定前の立体外観図である。
【図５】本発明の実施形態に係る留め具におけるコードおよびベルト固定後の立体外観図である。
【図６】本発明の実施形態に係る留め具の他の実施例の立体外観図である。
【発明を実施するための形態】
【００１７】
以下において、本発明の好ましい実施形態について図面を参照しながら説明する。
【００１８】
図１、図２、および図３は、それぞれ、本発明の実施形態に係る留め具の立体外観図、立体断面図、および平面断面図をそれぞれ示す。本実施形態に係る留め具は、図１乃至図３に示すように、係止部１と、取付け部２とを備える。
【００１９】
係止部１の内部には、係止部１の長手方向に貫通した貫通穴１０が設けられている。そして、取付け部２は、係止部１の一方の側縁から延びており、係止部１と一体に設けられている。そして、係止部１における取付け部２が設けられた側と貫通穴１０を挟んで反対側の側面には、係止溝１１が形成されている。この係止溝１１は、係止部１の長手方向の一方側（本例では図１の手前側）に開口端を有し、当該開口端から係止部１の長手方向に沿って、固定掛止溝１１０が設けられた底部まで延びている。そして、係止溝１１の対向する両側の壁面１１１上には、複数組（本例では四組）の係止突起１２が設けられている。
【００２０】
なお、係止部１における取付け部２との接合位置は、本例に限られず、係止部１の端面の上部、中央部、下部などと取付け部２とが接合されてもよい。また、係止部１と取付け部２は一体成型により製造されてもよいが、それぞれ別体に設けられて高周波加熱溶着あるいは接着剤接合などの方法により接合されてもよい。
【００２１】
本例では、係止溝１１の内側の壁面１１１に設けられている係止突起１２は、互いに対向する位置に設けられている。しかしながら、係止突起１２を設ける位置は本例に限られず、例えば、係止溝１１の壁面１１１における互いに非対向となる位置に設けてもよく、また、係止突起１２を設ける間隔も、等間隔あるいは非等間隔のいずれであってもよい。また、係止突起１２の形状は、歯状、鋭角テーパ状、長方形、菱形、楕円形、円形、半円形、波形などの形状の一または複数種類から選択されてもよい。
【００２２】
さらには、係止部１における貫通穴１０の側面には、外側から長手方向に刻設された係止溝１１が設けられて、係止溝１１の両側壁面１１１に等間隔、平面形状の対向設計をもたらしている。そして係止溝１１の底部には固定掛止溝１１０が設けられている。なお、本例では、図１に示すように、係止溝１１の深さＤは、係止部１の長さＬの１／２以上であり、係止溝１１の底部の端から係止部１の端縁１３までの間隔ｄは、係止部１の長さＬの１／２以下である。
【００２３】
図４および図５は、それぞれ、本発明の実施形態に係る留め具におけるコードおよびベルト固定前および固定後の立体外観図である。また、図６は、本発明の実施形態に係る留め具の他の実施例の立体外観図である。これらの図に示すように、本例の留め具は、実際の使用に際して、係止部１側辺の取付け部２に、予め準備された物品３の一方の側辺を取付けるか、または二つの対向方式の留め具の取付け部２に、予め準備された物品３の二つの側辺をそれぞれ取付けることができる。予め準備された物品３に貫設されているコードあるいはベルト４は、末端部４１が係止部１の側面の係止溝１１から、係止溝１１内に引き出されて、押し込まれるとともに、複数組（本例では四組）の係止突起１２を通り過ぎた後、係止溝１１の固定掛止溝１１０内に掛止された状態で堅固に固定される。
【００２４】
ここで、コードあるいはベルト４は、上記のように、固定掛止溝１１０内に堅固に固定されるとともに、係止突起１２によって、固定掛止溝１１０から開口端側への移動が規制される。したがって、コードあるいはベルト４が外力で引っ張られたときでも、コードあるいはベルト４の末端部４１が係止溝１１内から外れたり、緩んだりするのを防止する。しかも係止溝１１の両側壁面１１１に係止突起１２が設けられていることにより、係止溝１１における両側壁面１１１の構造上の強度を高めて、係止溝１１の両側壁面１１１の弾性力が不足するまでの時間を効果的に遅らせて、しかも係止部１の寿命を延ばすとともに、係止溝１１の挟持、固定性能を高めることができる。さらに両側壁面１１１の係止突起１２により、コードあるいはベルト４の末端部４１を堅固に固定、挟持する作用をもたらし、留め具はコードあるいはベルト４の優れた規制、掛止の目的を達成することができる。
【００２５】
前記取付け部２に取付けられる物品３は、衣料品（例えばスラックスなど）、バッグ類（例えばバックパック、かばん、ハンドバッグ、ショルダーバッグなど）、袋類(例えば手提げ袋、包装袋など)、靴、スーツケース、ショルダーベルト、ヘルメット、自転車のアクセサリ（水筒、ツールバッグ、物入れまたは収容バッグなど）、あるいはシートベルト（車両、遊具、ベビーカーなど）などのようにコードおよびベルト４が設けられた物品であれば特に限定されない。
【００２６】
このように、本実施形態に係る留め具は、実際の使用において、以下のような各長所を備える。
【００２７】
（１）係止部１の係止溝１１は両側壁面１１１上に、少なくとも一組以上の係止突起１２が設けられており、コードおよびベルト４の末端部４１が引き出されて係止溝１１に進入した後、係止突起１２が規制、制止するとともに、挟持、固定の作用をもたらし、しかも規制、掛止、制止するように働くことで、コードおよびベルト４が外部からわずかな力で引っ張られたときでも、コードおよびベルト４の末端部４１が係止溝１１内で外れたり、緩んだりする不具合を防止することができる。
【００２８】
（２）係止部１の係止溝１１は両側壁面１１１上に、少なくとも一組以上の係止突起１２が設けられることにより、係止溝１１の構造上の強度を高めて、係止溝１１の両側壁面１１１の弾性力が不足するまでの時間を遅らせて、外側に向けて穴が広がる不具合が生じることなく、係止部１の寿命を効果的に延ばし、係止溝１１でしっかり固定することによりコードおよびベルト４の末端部４１を挟持することができる。
【００２９】
（３）係止部１の係止溝１１は両側壁面１１１上に設けられている少なくとも一組以上の係止突起１２は、係止突起１２を両側壁面１１１にて対向または非対向の方式で配列するようにしており、しかも等間隔または非等間隔の間隔で配列されている。そして係止突起１２は複数の異なる構造の設計で使用されることで、コードおよびベルト４の末端部４１をしっかりと挟持固定する効果を持たせることができる。
【００３０】
なお、上記の留め具は、本発明の実施形態の一例に過ぎず、本発明の留め具は、本例により限定されるものではない。本発明のコードおよびベルト留め具は、係止部１の側辺に取付け部２が結合され、そして係止部１の側面には長手方向に刻設された係止溝１１が設けられており、しかも係止溝１１の両側壁面１１１には、一組以上の係止突起１２がそれぞれ設けられており、コードおよびベルト４の末端部４１が引っ張られ係止溝１１内部に進入したとき、係止溝１１の両側壁面１１１に設けられている係止突起１２によりコードおよびベルト４の末端部４１を係止することにより、コードおよびベルト４の移動を効果的に規制することで、コードおよびベルト４が外力によって引っ張られた場合でも、係止溝１１内でずれたり、緩んだりするのを防止できるものである。よっておよそ前記効果を達成できる構造、装置はいずれも本発明の権利範囲に含まれるものであり、この種の簡易な付加および等価の構造的変化は、いずれも本発明の権利範囲内に含まれるのが妥当であるということを予め表明しておく。
【００３１】
よって、本発明は主にコードおよびベルト留め具の構造設計として、係止部において側面に長手方向に刻設された係止溝を用いるとともに、係止溝の両側壁面に少なくとも一組以上の係止突起を設けて、コードおよびベルトの末端部を引き出して係止溝内に進入させ、係止溝の両側壁面の係止突起によりコードおよびベルトの末端部を堅固に固定、挟持することで、係止溝の両側壁面は係止突起により構造上の強度を高めて、弾性力が不足するまでの時間を遅らせて、係止部の寿命を延ばすことが主に保護すべきポイントであって、つまりコードおよびベルトの末端部が外部からわずかな力で引っ張られたときでも、係止溝から外れたり、緩んだりする不具合はなく、係止溝の両側壁面は少なくとも一組以上の係止突起により、コードおよびベルトの末端部を規制、制止、固定するという卓越性を備えている。しかし、上記したものは単に本発明の好ましい実施例にすぎず、これにより本発明の特許範囲を限定するものではないので、およそ本発明の明細書および図面の内容を運用してなされた簡易な付加および等価の構造的変化は、いずれも本発明の権利範囲内に含まれるのが妥当であるということを予め表明しておく。
【符号の説明】
【００３２】
１  係止部
１０  貫通穴
１１  係止溝
１１０  固定掛止溝
１１１  壁面
１２  係止突起
１３  端縁
２  取付け部
３  物品
４  コードおよびベルト
４１  末端部
Ｄ  深さ
Ｌ  長さ
ｄ  間隔
【図１】
2011041803.tif 000003
【図２】
2011041803.tif 000004
【図３】
2011041803.tif 000005
【図４】
2011041803.tif 000006
【図５】
2011041803.tif 000007
【図６】
2011041803.tif 000008